(57)【要約】【課題】使い勝手のよいメモリシートトラックを提供することを課題とする。【解決手段】  フロア側に設けられるロアレール５１と、シート側に設けられ、ロアレール５１に移動可能に係合するアッパレール５３と、アッパレール５３の移動をロック／アンロックするスライドロック機構と、メモリ位置で、アッパレール５３の移動を禁止するメモリストッパ機構２００と、メモリ位置を調整するメモリ位置調整機構３００と、スライドロック機構と、メモリストッパ機構２００とを操作する操作機構４００とを有し、メモリストッパ機構２００は、アッパレール５３の前方から後方への移動でも、後方から前方への移動でも作動する。【選択図】図１
2018075982.tif 000002
【特許請求の範囲】
【請求項１】
フロア側に設けられるロアレールと、
シート側に設けられ、前記ロアレールに移動可能に係合するアッパレールと、
該アッパレールの移動をロック／アンロックするスライドロック機構と、
メモリ位置で、前記アッパレールの移動を禁止するメモリストッパ機構と、
前記メモリ位置を調整するメモリ位置調整機構と、
前記スライドロック機構と、前記メモリストッパ機構とを操作する操作機構と
を有し、
前記メモリストッパ機構は、
前記アッパレールの前方から後方への移動でも、後方から前方への移動でも作動することを特徴とするメモリシートトラック。
【請求項２】
前記操作機構は、ハンドル部材を有し、
該ハンドル部材は、
前記スライドロック機構をアンロック状態とするアンロック位置と、
該アンロック位置を越えてさらに操作した位置にあり、前記メモリストッパ機構を作動させるメモリストッパ機構作動位置とに移動可能であることを特徴とする請求項１記載のメモリシートトラック。
【請求項３】
前記操作機構は、
回転可能に設けられた操作ハンドルと、
該操作ハンドルと遊びを持って係合し、前記スライドロック機構を操作する解除レバーと、
前記操作ハンドルと前記解除レバーとに係止された付勢部材と、
前記解除レバーが前記スライドロック機構をアンロック状態とするまで回転すると、前記解除レバーの回転を規制するストッパと、
を有し、
前記解除レバーが前記ストッパによって回転が規制されるまでは、前記操作ハンドルと前記解除レバーとは一体となって回転し、
前記解除レバーが前記ストッパによって回転が規制された後は、操作ハンドルのみが回転することを特徴とする請求項１記載のメモリシートトラック。
【請求項４】
前記メモリストッパ機構は、
前記アッパレール、前記ロアレールのうちのどちらか一方のレールに設けられ、前記操作機構の操作により移動するストッパプレートと、
前記アッパレール、前記ロアレールのうちのどちらか他方のレールに設けられ、前記ストッパプレートと係合することで、前記アッパレールの移動を禁止するストッパ部材と、
前記ストッパプレートを付勢するストッパプレート付勢部材と、
からなることを特徴とする請求項１乃至３のいずれかに記載のメモリシートトラック。
【請求項５】
前記ストッパ部材は、前記アッパレールの移動方向と交差するように設けられたピンであり、
前記ストッパプレートは、
前記ピンが嵌合すると前記アッパレールの移動を禁止する溝と、
該溝の両側に形成され、前記アッパレールの移動に伴い、前記ピンと前記溝とが嵌合するように案内する第１斜面，第２斜面と、
を有することを特徴とする請求項４記載のメモリシートトラック。
【請求項６】
前記ピンは、前記アッパレールの移動方向に沿って複数配置され、
各ピンは前記ストッパプレートに係合可能な係合位置と、前記ストッパプレートと非係合な非係合位置とに移動可能に設けられ、
前記メモリ位置調整機構は、
前記複数のピンのうちの1つのピンを係合位置に移動させることを特徴とする請求項５記載のメモリシートトラック。
【請求項７】
前記メモリ位置調整機構は、
前記ピンを前記アッパレールの移動方向に沿って移動可能な移動可能位置と、移動が禁止された移動禁止位置との間を移動可能とすることを特徴とする請求項５記載のメモリシートトラック。
【請求項８】
前記ピンは前記ロアレール側に設けられ、
前記アッパレール側に、前記ピンと係合すると、一方向のみ回転可能な位置調整ストッパを設けたことを特徴とする請求項７記載のメモリシートトラック。
【発明の詳細な説明】
【技術分野】
【０００１】
本発明は、シートスライドを行った後、簡単に元位置（メモリ位置）へ戻せるメモリシートトラックに関する。
【背景技術】
【０００２】
メモリシートトラックとして、ウォークインシートがある。
ウォークインシートは、２ドア車のフロントシート等に設けられ、シートバックを前倒しすると、スライドロック機構がアンロックされ、シートがシートトラックの最前位置まで移動するものである。
【０００３】
シートバックが前倒れすると共に、シート全体がシートトラックの最前位置まで移動することで、後席への乗降性がよくなる。
そして、最前位置にあるシートを後方へ移動させると、メモリストッパ機構により元位置でシートスライドのロックがなされる（例えば、特許文献１参照）。
【先行技術文献】
【特許文献】
【０００４】
【特許文献１】特開２０１０−０８９５７０
【発明の概要】
【発明が解決しようとする課題】
【０００５】
一般に以下のような場合、シートを移動する。
(1) 後席にドアがない場合、後席への乗降を向上させるために前席シートを前方へ移動する。
(2) 後席着座者の足下スペースを確保するために前席シートを前方へ移動する。
【０００６】
(3) 休憩時、シートを後方へ移動する。
(4) 掃除時、シートを前方または後方へ移動する。
(5) 乗降性を確保するために、シートを後方へ移動する。
このように、シートを前方や後方へ移動させる場合が、数多くある。
【０００７】
マニュアルシートトラックの場合、メモリストッパ機構を有するのはウォークインシートのみである。
しかし、ウォークインシートのメモリストッパ機構は、シートバックが前傾した状態で、シートの前方から後方への移動のみ作動するものであり、シートバックが起立した状態で、前述した(1)-(5)のようなケースでは使えない問題点がある。
【０００８】
本発明は、上記問題点に鑑みてなされたもので、その課題は、使い勝手のよいメモリシートトラックを提供することにある。
【課題を解決するための手段】
【０００９】
上述した課題のうち少なくとも一つを実現するために、本発明の一側面を反映したメモリシートトラックは、
フロア側に設けられるロアレールと、
シート側に設けられ、前記ロアレールに移動可能に係合するアッパレールと、
該アッパレールの移動をロック／アンロックするスライドロック機構と、
メモリ位置で、前記アッパレールの移動を禁止するメモリストッパ機構と、
前記メモリ位置を調整するメモリ位置調整機構と、
前記スライドロック機構と、前記メモリストッパ機構とを操作する操作機構と
を有し、
前記メモリストッパ機構は、
前記アッパレールの前方から後方への移動でも、後方から前方への移動でも作動することを特徴とする。
【００１０】
本発明の他の特徴は、以下に述べる発明を実施するための形態並びに添付の図面から一層明らかになるであろう。
【発明の効果】
【００１１】
本発明のメモリシートトラックによれば、前記メモリストッパ機構は、前記アッパレールの前方から後方への移動でも、後方から前方への移動でも作動することにより、使い勝手がよい。
本発明の他の効果は、以下に述べる発明を実施するための形態並びに添付の図面から一層明らかになるであろう。
【図面の簡単な説明】
【００１２】
【図１】第１実施形態のメモリシートトラックの分解斜視図である。
【図２】図１のメモリシートトラックを組み立てた状態で、図１の矢印II方向から見た斜視図である。
【図３】図１のメモリシートトラックを組み立てた状態で、図１の矢印III方向から見た斜視図である。
【図４】図１のシートレールを上から見た時の分解斜視図である。
【図５】図４のシートレールを組み立てた際の図４の矢印V方向から見たアッパレールの正面図である。
【図６】シートレールを組み付けた際のアッパレールの斜視図である。
【図７】図３の矢印VII方向から見た側面図である。
【図８】図７の上面図である。
【図９】図１の矢印IX方向から見た図で、解除レバーと操作ハンドルとの係合を説明する図である。
【図１０】ロック状態を説明する図である。
【図１１】通常フルオープン状態を説明する図である。
【図１２】メモリロック状態を説明する図である。
【図１３】メモリ位置調整機構を説明する図である。
【図１４】図１３のA部分の拡大図で、メモリ位置調整機構の作動を説明する図（すべてのピンが非係合位置にある場合）である。
【図１５】図１３のA部分の拡大図で、メモリ位置調整機構の作動を説明する図（１つのピンが非係合位置と係合位置との間にある場合）である。
【図１６】図１３のA部分の拡大図で、メモリ位置調整機構の作動を説明する図（１つのピンが係合位置にある場合）である。
【図１７】第２実施形態の主要部の分解斜視図である。
【図１８】図１７のメモリシートトラックを組み立てた際の矢印XVIII方向から見た側面図である。
【図１９】図１７のメモリシートトラックを組み立てた際の矢印XIX方向から見た斜視図である。
【図２０】図１７のメモリシートトラックを組み立てた際の矢印XX方向から見た斜視図である。
【図２１】図１８の切断線XXI−XXIでの切断部端面図である。
【図２２】図１８の切断線XXII−XXIIでの切断部端面図である。
【発明を実施するための形態】
【００１３】
＜第１実施形態＞
（全体構成）
図１-図３を用いて、本実施形態のメモリシートトラックの全体構成を説明する。図１は第１実施形態のメモリシートトラックの分解斜視図、図２は図１のメモリシートトラックを組み立てた状態で、図１の矢印II方向から見た斜視図、図３は図１のメモリシートトラックを組み立てた状態で、図１の矢印III方向から見た斜視図である。
【００１４】
フロア側に設けられるロアレール５１には、シート側に設けられるアッパレール５３が移動可能に係合している。アッパレール５３とロアレール５１とには、アッパレール５３の移動をロック／アンロックする図示しないスライドロック機構が設けられている。
そして、ロアレール５１とアッパレール５３とでシートレール５０が構成されている。
【００１５】
本実施形態では、シートレール５０に後付けで、メモリストッパ機構２００と、メモリ位置調整機構３００と、操作機構４００とが取り付け可能となっている。
メモリストッパ機構２００はメモリ位置で、アッパレール５３の移動を禁止する機構であり、メモリ位置調整機構３００は、メモリ位置を調整する機構であり、操作機構４００は、スライドロック機構と、メモリストッパ機構２００とを操作する機構である。
（シートレールとスライドロック機構）
図４−図６を用いて、本実施形態のシートレール５０と、スライドロック機構とを説明する。図４は図１のシートレールを上から見た時の分解斜視図、図５は図４のシートレールを組み立てた際の図４の矢印V方向から見たアッパレールの正面図、図６はシートレールを組み付けた際のアッパレールの斜視図である。
【００１６】
アッパレール５３には、ロアレール５１に対するアッパレール５３のスライド移動動作を規制するロック位置、ロアレール５１に対するアッパレール５３のスライド移動動作を許容するアンロック位置、アンロック位置よりさらに作動させたフルオープン位置を移動可能なロックレバー５５が設けられている。
【００１７】
このロックレバー５５は、解除レバー５７により、ロック位置／アンロック位置／フルオープン位置に切り替えられる。
また、アッパレール５３には、アッパレール５３の移動方向を長手とする針金状で、ロックレバー５５をロック位置方向に付勢する付勢部材５９が設けられている。
【００１８】
そして、本実施形態では、シートレール５０において、解除レバー５７がある方が前である。
尚、図１−図５において、矢印Ｆ方向が前方向、矢印Ｒ方向が後方向、矢印Ｕ方向が上方向、矢印Ｌ方向が下方向を示している。
【００１９】
図４−図６を用いて，ロアレール５１とアッパレール５３を説明する。
ロアレール５１の断面形状は、フロアと略水平に配置される基底部５１ａと、基底部５１ａの一方の端部から折曲され、上方に延出する第１側壁部５１ｂと、基底部５１ａの他方の端部から折曲され、上方に延出する第２側壁部５１ｃと、第１側壁部５１ｂの上方の端部から折曲し、基底部５１ａと略平行に第２側壁部５１ｃ方向へ延出する第１上面部５１ｄと、第２側壁部５１ｃの上方の端部から折曲し、基底部５１ａと略平行に第１側壁部５１ｂ方向へ延出する第２上面部５１ｅと、第１上面部５１ｄの他方の端部から基底部５１ａ方向に折曲し、第１側壁部５１ｂより長さが短い第１垂下部５１ｆと、第２上面部５１ｅの他方の端部から基底部５１ａ方向に折曲し、第１垂下部５１ｆと空間を介して対向し、第１垂下部５１ｆと略同じ長さの第２垂下部５１ｇとからなっている。
【００２０】
アッパレール５３は、ロアレール５１の基底部５１ａと略平行に設けられた上面部５３ａと、上面部５３ａの一方の端部より折曲し、ロアレール５１の第１垂下部５１ｆと第２垂下部５１ｇとの間の空間を介してロアレール５１内へ延出する第１側壁部５３ｂと、上面部５３ａの他方の端部より折曲し、ロアレール５１の第１垂下部５１ｆと第２垂下部５１ｇとの間の空間を介してロアレール５１内へ延出する第２側壁部５３ｃと、第１側壁部５３ｂの下方の端部よりロアレール５１の第１側壁部５１ｂ、第１上面部５１ｄ，第１垂下部５１ｆで形成される空間へ延出する第１跳上部５３ｄと、第２側壁部５３ｃの下方の端部よりロアレール５１の第２側壁部５１ｃ，第２上面部５１ｅ，第２垂下部５１ｇで形成される空間へ延出する第２跳上部５３ｅとからなっている。
【００２１】
そして、図４を用いて、リテーナの説明を行う。図に示すように、ロアレール５１の第１側壁部５１ｂとアッパレール５３の第１跳上部５３ｄとの間にリテーナ６１が、ロアレール５１の第２側壁部５１ｃとアッパレール５３の第２跳上部５３ｅとの間にリテーナ６７が、アッパレール５３の移動方向に沿ってそれぞれ２つずつ（前方、後方）配置されている。
【００２２】
そして、各リテーナ６１に保持された２つの第１アッパ鋼球６３が、ロアレール５１の第１側壁部５１ｂ、第１上面部５１ｄと、アッパレール５３の第１跳上部５３ｄとで囲まれた空間に配置されている。各リテーナ６１に保持された２つの第１ロア鋼球６５がロアレール５１の基底部５１ａ、第１側壁部５１ｂと、アッパレール５３の第１跳上部５３ｄとで囲まれた 空間に配置されている。
【００２３】
また、各リテーナ６７に保持された２つの第２アッパ鋼球６９が、ロアレール５１の第２側壁部５１ｃ、第２上面部５１ｅと、アッパレール５３の第２跳上部５３ｅとで囲まれた空間に配置されている。各リテーナ６７に保持された２つの第２ロア鋼球７１がロアレール５１の基底部５１ａ、第２側壁部５１ｃと、アッパレール５３の第２跳上部５３ｅとで囲まれた空間に配置されている。これにより、アッパレール５３はロアレール５１に対してスムーズにスライド移動する。
【００２４】
また、ロアレール５１には、リテーナ６１、リテーナ６７が当接することにより、鋼球（第１アッパ鋼球６３、第２アッパ鋼球６９、第１ロア鋼球６５、第２ロア鋼球７１）の移動範囲を規制するストッパが設けられている。
本実施形態のストッパは、ロアレール５１の第１側壁部５１ｂ、第２側壁部５１ｃの上部で両端の開放面側に設けられたアッパストッパ１０１と、ロアレール５１の第１側壁部５１ｂ、第２側壁部５１ｃの下部で長手方向の中間部に設けられたロアストッパ１０３とからなっている。
【００２５】
ロアストッパ１０３は、孔１０３ａと、孔１０３ａの上縁部からアッパレール５３の移動方向と交差する方向に突出し、リテーナ６１、リテーナ６７が当接可能なストッパ本体１０３ｂとからなっている。
ロアレール５１の基底部５１ａを挿通するピン７３により、ロアレール５１はフロア側に取り付けられる。
【００２６】
アッパレール５３の上面部５３ａは、４カ所の孔５３ｆを有し、これらの孔５３ｆを挿通するピン７５により、アッパレール５３はシート側に取り付けられる。
図４、図５、図６に示すように、アッパレール５３の上面部５３ａ、第１側壁部５３ｂ、第２側壁部５３ｃに囲まれた空間内には、シートトラックの前側より順に、解除レバー５７の後部と、ロックレバー５５とが配置され、さらに、その空間には、解除レバー５７とロックレバー５５とに係止される付勢部材５９も配置される。
【００２７】
図４に示すように、ロアレール５１の第２垂下部５１ｇは、アッパレール５３の移動方向（長手方向）に沿って複数のロック孔（ロアレール５１のロック部）５１ｉを有している。尚、本実施形態では、図示しないが、第１垂下部５１ｆも、第２垂下部５１ｇの複数のロック孔５１ｉに対向するロック孔５１ｉ（図示せず）を有している。
【００２８】
また、アッパレール５３は、その第１側壁部５３ｂの長手方向中央部に、第１切り欠き部５３ｇを有している。さらに、アッパレール５３は、その第１跳上部５３ｄに、切り欠き部５３ｇに対向する第２切り欠き部５３ｈを有している。
図６に示すように、アッパレール５３は、その第１側壁部５３ｂに、前方より第１係止孔５３ｉ、第２係止孔５３ｊを有している。
【００２９】
一方、図４、図６に示すように、ロックレバー５５は、第１係止孔５３ｉ、第２係止孔５３ｊに嵌まる突状の第１係止部５５ｉ、突状の第２係止部５５ｊを有し、第１係止孔５３ｉ、第２係止孔５３ｊを回転支点として（アッパレール５３の移動方向を軸として）、ロック位置−アンロック位置−フルオープン位置との間を回転移動する。
【００３０】
図４、図５示すように、ロックレバー５５の後部には、ロックレバー５５が回転することにより、アッパレール５３の第１切り欠き部５３ｇを挿通し、ロアレール５１の第１垂下部５１ｆのロック孔５１ｉに係脱可能な複数の（本実施形態では６つ）ロック爪（係止部）５５ａが形成されている。尚、本実施形態では、ロアレール５１の第１垂下部５１ｆのロック孔５１ｉに係合したロックレバー５５のロック爪５５ａの先端側は、アッパレール５３の第２切り欠き部５３ｈを挿通するようになっている。
【００３１】
そして、アッパレール５３に設けられたロックレバー５５のロック爪５５ａが、ロアレール５１のロック孔５１ｉに係合することにより、アッパレール５３のロアレール５１に対する移動動作が規制される。
解除レバー５７は、ロックレバー５５より前側に配置される。解除レバー５７の後部には、ロックレバー５５の前部に設けられた円筒面を有した被押圧部５５ｃを上方から押圧可能な押圧部５７ａが形成されている。
【００３２】
また、解除レバー５７の上面は、アッパレール５３の上面部５３ａの内壁側に形成された支点突部５３ｌに当接し、当接点を回転支点として上下方向に回転可能となっている。さらに、アッパレール５３の第２側壁部５３ｃであって、支点突部５３ｌよりも後方の位置には、解除レバー５７の下面が当接可能なストッパ突部５３ｍが形成されている。
【００３３】
このストッパ突部５３ｍは、解除レバ−５７がスライドロック機構をアンロック状態とするまで回転すると、解除レバー５７の回転を規制するストッパとして機能する。
付勢部材５９は、線状の材料（ワイヤー材）を様々な方向に曲げ加工して得られた線細工ばねである。
【００３４】
付勢部材５９は、アッパレール５３の上面部５３ａと、一対の側壁部（第１側壁部５３ｂ、第２側壁部５３ｃ）とで囲まれる空間に、アッパレール５３の移動方向に沿って配置されている。
そして、付勢部材５９は、その中間部に、アッパレール５３に係止される交差部５９ｃを有している。この交差部５９ｃとアッパレール５３の係止により、付勢部材５９とアッパレール５３とのアッパレール５３の移動方向の相対移動が禁止される。
【００３５】
付勢部材５９は、その後部に、アッパレール５３の移動方向と交差する方向に折曲され、ロックレバー５５の中間部に形成された孔５５ｂに係止することで、ロックレバー５５をロック位置方向に付勢する後部折曲部（アーム部）５９ａを有している。この後部折曲部５９ａは、後部折曲部５９ａがねじられた際の弾性復元力を用いてロックレバー５５をロック位置方向に付勢する付勢部として機能する。
【００３６】
次に、付勢部材５９は、その前端側に、アッパレール５３の移動方向と交差する方向に折曲され、解除レバー５７の回転支点より前方の下部にアッパレールの移動方向と交差する方向に形成された溝５７ｃに係止することで、解除レバー５７のアッパレール５３の移動方向の移動を規制すると共に操作部材57を付勢する規制部(嵌合部)５９ｂを有している。
【００３７】
ここで、上記構成のシートレールとスライドロック機構の作動を説明する。
最初に、解除レバー５７を操作していない状態では、解除レバー５７の押圧部５７ａがアッパレール５３に設けられたロックレバー５５の被押圧部５５ｃを押圧せず、付勢部材５９の付勢力により、ロックレバー５５は、ロック位置にある。即ち、ロック爪５５ａが、アッパレール５３の第１切り欠き部５３ｇを挿通して、ロアレール５１のロック孔５１ｉに係合し、さらに、アッパレール５３の第２切り欠き部５３ｈに係合し、アッパレール５３のロアレール５１に対する移動動作が規制されたロック状態にある。
【００３８】
次に、付勢部材５９の付勢力に抗して解除レバー５７の前部を押し下げ、解除レバー５７の後部を上方に引き上げると、アッパレール５３に設けられたロックレバー５５はフループン位置まで回転する。即ち、ロック爪５５ａと、ロアレール５１のロック孔５１ｉとの係合が解除され、アッパレール５３のロアレール５１に対する移動動作が許容されたアンロック状態になる。
【００３９】
そして、アッパレール５３をロアレール５１に対して所望の位置まで移動させ、解除レバー５７に対する操作力を解除すると、付勢部材５９の弾性復元力(付勢力）により、フルオープン位置にあるロックレバー５５はロック位置まで戻り、アッパレール５３のロアレール５１に対する移動動作が規制されたロック状態に復帰する。
（メモリストッパ機構、メモリ位置調整機構、操作機構）
次に、図１−図３、図７−図１６を用いて、メモリストッパ機構２００、メモリ位置調整機構３００、操作機構４００を説明する。
【００４０】
図７は図３の矢印VII方向から見た側面図、図８は図７の上面図、図９は図１の矢印IX方向から見た図で、解除レバーと操作ハンドルとの係合を説明する図、図１０はロック状態を説明する図、図１１は通常フルオープン状態を説明する図、図１２はメモリロック状態を説明する図、図１３はメモリ位置調整機構を説明する図、図１４は図１３のA部分の拡大図で、メモリ位置調整機構の作動を説明する図、図１５は図１３のA部分の拡大図で、メモリ位置調整機構の作動を説明する図、図１６は図１３のA部分の拡大図で、メモリ位置調整機構の作動を説明する図である。
【００４１】
最初に、図１−図３、図７−図１３を用いて、操作機構４００を説明する。解除レバー５７の前部には、断面形状が小判形の孔５７ｄが形成されている。この孔５７ｄに、ブッシュ部材４０１が係合している。ブッシュ部材４０１は、孔５７ｄに係合する断面形状が小判形の第１係合部４０１ａと、操作ハンドル４０３の係合部４０３ｃ（詳細は後述する）に係合し、一体となって移動する断面形状が円形の第２係合部４０１ｂとからなっている。
【００４２】
操作ハンドル４０３はパイプを塑性加工して製造され、シートクッションの前縁部に沿う操作部４０３ａと、操作部４０３ａから後方に向かって折曲し、アッパレール５３の移動方向に沿うアーム部４０３ｂと、アーム部４０３ｂからアッパレール５３の移動方向と略直交する方向に折曲した係合部４０３ｃとからなっている。
【００４３】
図９に示すように、ブッシュ部材４０１の第１係合部４０１ａは、解除レバー５７の孔５７ｄに遊びをもって係合している。具体的には、小判形の一対の直線辺の間隔が異なっている。即ち、孔５７ｄの直線辺の間隔が第１係合部４０１ａの直線辺の間隔より広く設定されている。そして、中間部が操作ハンドル４０３の係合部４０３ｃに巻回され、一端部が解除レバー５７に係止され、他端部が操作ハンドル４０３のアーム部４０３ｂに係止されたスプリング４０５により、操作ハンドル４０３を解除レバー５７に対してアーム部４０３ｂ（ブッシュ部材４０１）は時計回り方向（ロック方向）に付勢している。このため、孔５７ｄの一方の直線辺５７ｅの下部と第１係合部４０１ａの一方の直線辺４０１ｅの下部とが当接し、孔５７ｄの他方の直線辺５７ｆの上部と第１係合部４０１ａの他方の直線辺４０１ｆの上部とが当接している。スプリング４０５の付勢力は、付勢部材５９の付勢力よりも強く設定されているため、付勢部材５９に抗して操作している間は、操作ハンドル４０３と解除レバー５７とは、たわまず、一体となって移動可能となっている。
【００４４】
そして、孔５７ｄの一方の直線辺５７ｅの上部に遊び（隙間）Ｓ１が、孔５７ｄの他方の直線辺５７ｆの下部に遊び（隙間）Ｓ２がそれぞれ発生する。
なお、操作ハンドル４０３と解除レバー５７とブッシュ部材４０１とで、ハンドル部材を構成している。
【００４５】
次に、図１−図３、図７−図１３を用いて、メモリストッパ機構２００を説明する。アッパレール５３の上面部５３ａには、第１アッパブラケット２０１が取り付けられる。この第１アッパブラケット２０１は、アッパレール５３の上面部５３ａに取り付けられる基部２０１ｄと、基部２０１ｄの側部に設けられ、ロアレール５１の第１側壁部５１ｂと空間を介して対向する垂下部２０１ａとでなっている。
【００４６】
垂下部２０１ａに隣接してストッパプレート２０３が配置される。このストッパプレート２０３の中間部には、孔２０３ａが形成されている。一方、垂下部２０１ａには、孔２０１ｂが形成されている。ストッパプレート２０３の孔２０３ａ、垂下部２０１ａの孔２０１ｂを挿通するピン２０５により、ストッパプレート２０３は第1アッパブラケット２０１（アッパレール５３）に回転可能に取り付けられている。
【００４７】
ストッパプレート２０３の前側の回転端部には、操作機構４００の操作ハンドル４０３のアーム部４０３ｂに取り付けられた伝達部材４０７の上面に当接可能な伝達部材当接部２０３ｂが形成されている。ストッパプレート２０３の後ろ側の回転端部には、アッパレール５３の移動方向と交差するように設けられたピン（詳細は後述する：ストッパ部材）に嵌合可能な溝２０３ｃを有するストッパ部２０３ｄが形成されている。
【００４８】
そして、中間部がピン２０５に巻回され、一端部が第１アッパブラケット２０１の垂下部２０１ａに係止され、他端部がストッパプレート２０３に係止されたスプリング２０７により、ストッパプレート２０３は、溝２０３ｃがピン（ストッパ部材）に嵌合する方向、また、伝達部材当接部２０３ｂが伝達部材４０７に当接する方向に付勢されている。
【００４９】
また、垂下部２０１ａには、ピン（ストッパ部材）に嵌合する方向に回転するストッパプレート２０３の回転を規制するストッパ２０１ｃが形成されている。
ストッパプレート２０３のストッパ部２０３ｄの溝２０３ｃの両側には、アッパレール５３の移動に伴い、前述したピンと溝２０３ｃとが嵌合するように案内する第１斜面２０３ｅ，第２斜面２０３ｆが形成されている。
【００５０】
次に、図１−３、図７−図８、図１０−図１６を用いて、メモリ位置調整機構３００を説明する。
ロアレール５１の基底部５１ａ外面には、断面形状が略L字形状の第１ロアブラケット３０１と、断面形状が略L字形状の第２ロアブラケット３０３とが設けられる。
【００５１】
第１ロアブラケット３０１は、ロアレール５１の基底部５１ａに取り付けられる基部３０１ａと、基部３０１ａのロアレール５１の第２側壁部５１ｃ側の側面から下方に向かって折曲した側部３０１ｂとからなっている。第２ロアブラケット３０３は、第１ロアブラケット３０１の基部３０１ａに重なるように取り付けられる基部３０３ａと、基部３０３ａのロアレール５１の第１側壁部５１ｂ側の側面から下方に向かって折曲した側部３０３ｂとからなっている。
【００５２】
さらに、第１ロアブラケット３０１の側部３０１ｂの後部には、第２ロアブラケット３０３の側部３０３ｂ方向に折曲されたスプリング係止ブラケット３０１ｄが形成されている。
第１ロアブラケット３０１の側部３０１ｂには、アッパレール５３の移動方向に沿って複数の矩形の孔３０１ｃ(図１３−図１６参照）が形成されている。第２ロアブラケット３０３の側部３０３ｂにも、アッパレール５３の移動方向に沿って、第１ロアブラケット３０１の孔３０１ｃに対向する複数の円形の孔３０３ｃが形成されている。
【００５３】
第２ロアブラケット３０３の基部３０３ａの下面には、アッパレール５３の移動方向に沿って３つのスライダ３０５が設けられている。各スライダ３０５は、第１ロアブラケット３０１の側部３０１ｂと、第２ロアブラケット３０３０の側部３０３ｂ，基部３０３ａに対し移動可能に係合している。
【００５４】
さらに、３つのガイド３０５にはスライドプレート３０７が取り付けられ、スライドプレート０７は、アッパレール５３の移動方向に移動可能となっている。スライドプレート３０７は第２ロアブラケット３０３の基部３０３ａと対向する基部３０７ａと、基部３０７の後部から折曲し、下方に向かって延出するスプリング係止ブラケット３０７ｂとからなっている
スライドプレート３０７の下方には、ピン（ストッパ部材）３０９がアッパレール５３の移動方向と交差するように配置されている。ピン３０９の一方の端部側は、断面形状が円形の円柱部３０９ａとなっており、他方の端部側は断面形状が矩形の角柱部３０９ｂとなっている。本実施形態においては、角柱部３０９ｂの少なくとも一辺の長さが円柱部３０９ａの径より長く設定されている。そして、第１ロアブラケット３０１の各孔３０１ｃにはピン３０９の角柱部３０９ｂが、第２ロアブラケット３０３の各孔３０３ｃにはピン３０９の円柱部３０９ａが遊嵌している。
【００５５】
よって、各ピン３０９は、ストッパプレート２０３の溝２０３ｃに係合可能な係合位置ＥＰ（図１３において一点鎖線位置）と、ストッパプレート２０３と非係合な非係合位置ＮＥＰ（図１３において実線位置）とに移動可能となっている。
スライドプレート３０７の基部３０７ａには、各ピン３０９の角柱部３０９ｂに形成されたカム突起３０９ｃが係合する略矩形のカム孔３０７ｃが形成されている。
【００５６】
図１５に示すように、カム孔３０７ｃのアッパレール５３の移動方向に対して交差する前側、後ろ側の２つの辺のうちの前側の辺３０７ｉ、３０７ｊの間には、後ろ側の辺に向かって突出する突部３０７ｄが形成されている。そして、突部３０７ｄの頂部３０７ｅを介して一方の側（第２ロアブラケット３０３の側部３０３ｂ側）の壁面は、アッパレール５３の移動方向と直交する切り立った面３０７ｆ、他方の側（第１ロアブラケット３０１の側部３０１ｂ側）の壁面は斜面３０７ｇとなっている。また、前側の辺３０７ｉは、辺３０７ｊより前側に位置している。
【００５７】
中間部が各ピン３０９に巻回され、一方の端部が第２ロアブラケット３０３の側部３０３ｂに当接し、他方の端部がピン３０９の円柱部３０９ａと角柱部３０９ｂとの間の壁面に当接したスプリング３１１の付勢力により、各ピン３０９は非係合位置ＮＥＰ方向に付勢されている。
【００５８】
また、一端部がスライドプレート３０７のスプリング係止ブラケット３０７ｂに、他端部が第１ロアブラケット３０１のスプリング係止ブラケット３０１ｄに係止されたスプリング３１３により、スライドプレート３０７は、後方に付勢されている。
このため、図１４に示すように、非係合位置ＮＥＰに位置するピン３０９のカム突起３０９ｃは、カム孔３０７ｃのアッパレール５３の移動方向に沿う２辺のうちの第１ロアブラケット３０１の側部３０１ｂ側の辺３０７ｈの壁面と、カム孔３０７ｃの辺３０７ｊの壁面とに押接している。また、図１６に示すように、係合位置ＥＰに位置するピン３０９のカム突起３０９ｃは、カム孔３０７ｃの切り立った面３０７ｆに当接している。
【００５９】
次に、アッパレール５３に設けられた第１アッパブラケット２０１に重なるように、第２アッパブラケット３３１が設けられている。第２アッパブラケット３３１は、第１アッパブラケット３３１上に設けられる基部３３１ａと、基部３３１ａのアッパレール５３の第２側壁部５３ｃ側の側部に形成された２つの軸受け部３１ｂ、３３１ｃとを有している。
【００６０】
さらに、第２アッパブラケット３３１上には、シートクッションを取り付けるシートクッションブラケット３５１が設けられる。
メモリボタン３３７は、金属等の材料でなるメモリボタン本体３３３と、メモリボタン本体３３３と一体的に取り付けられる樹脂等の材料でなるメモリボタンカバー３３５とで構成される。
【００６１】
メモリボタン本体３３３には、軸受け部３３３ａ、３３３ｂが形成され、第２アッパブラケット３３１の軸受け部３３１ｂ、３３１ｃと、メモリボタン本体３３３の軸受け部３３３ａ、３３３ｂとを挿通するシャフト３３８により、メモリボタン３３７は第２アッパブラケット３３１（アッパレール５３）に回転可能に取り付けられている。
【００６２】
メモリボタン本体３３３には、ロアレール５１に設けられた複数のピンのうちの１つのピン３０９の角柱部３０９ｂ側の端面を押圧可能な押圧部３３３ｃが形成されている。さらに、メモリボタン本体３３３には、アッパレール５３に設けられた第２アッパブラケット３３１の基部３３１ａに当接可能なストッパ部３３３ｄが形成されている。
【００６３】
そして、中間部がシャフト３３８に巻回され、一方の端部側がメモリボタン３３７に係止され、他方の端部側が第２アッパブラケット３３１（アッパレール５３）に係止されたスプリング３３９の付勢力により、メモリボタン３３７は押圧部３３３ｃがピン３０９の角柱部３０９ｂ側の端面から離れる方向に付勢されている。
【００６４】
ここで、メモリストッパ機構２００、メモリ位置調整機構３００、操作機構４００の作動を説明する。
最初に、図１３-図１６を用いてメモリ位置調整機構３００の作動を説明する。
スプリング３３９の付勢力により、メモリボタン３３７のストッパ部３３３ｄが第２アッパブラケット３３１の基部３３１ａに当接し、メモリボタン３３７の押圧部３３３ｃはピン３０９の角柱部３０９ｂ側の端面から離反している。
【００６５】
ここで、アッパレール５３が移動し、新たなメモリ位置を設定する場合、スプリング３３９の付勢力に抗してメモリボタン３３７を押す。メモリボタン３３７の押圧部３３３ｃが、非係合位置ＮＥＰに位置する複数のピンのうちの１本のピン３０９の角柱部３０９ｂ側の端面を押す。すると、ピン３０９はスプリング３１１の付勢力に抗して係合位置ＥＰ方向へ移動する（図１４→図１５）。
【００６６】
この時、ピン３０９のカム突起３０９ｃは、カム孔３０７ｃの辺３０７ｊから突部３０７ｄの斜面３０７ｇを押す。斜面３０７ｇを押す力の分力により、スライドプレート３０７は、スプリング３１３の付勢力に抗して前方に移動し、図１５に示すようにピン３０９のカム突起３０９ｃは突部３０７ｄの頂部３０７ｅに到る。この時、スライドプレート３０７の頂部３０７ｅがピン３０９のカム突起３０９ｃに当接し、スライドプレート３０７の後方への移動が規制される。この時、他のピン（メモリボタン３３７が押していないピン）３０９のカム突起３０９ｃは、カム孔３０７ｃの辺３０７ｊから離れた位置にある。
【００６７】
さらに、メモリボタン３３７を押すと、ピン３０９のカム突起３０９ｃは、突部３０７ｄの頂部３０７ｅを通過する。通過すると、スライドプレート３０７の後方への移動の規制がなくなり、図１６に示すように、スライドプレート３０７は、スプリング３１３の付勢力により、他のピン（メモリボタン３３７が押していないピン）３０９のカム突起３０９ｃがカム孔３０７ｃの辺３０７ｊに当接するまで、後方へ移動する。この時、メモリボタン３３７に押されたピン３０９のカム突起３０９ｃは、辺３０７ｊより前側に位置している辺３０７ｉには当接しない。そして、メモリボタン３３７による押し込みを解除すると、スプリング３１１の付勢力により、メモリボタン３３７が押しているピン３０９のカム突起３０９ｃは、カム孔３０７ｃの突部３０７ｄの切り立った面３０７ｆに当接し、他のピン（メモリボタン３３７が押していないピン）３０９のカム突起３０９ｃは、第１ロアブラケット３０１の側部３０１ｂ側の辺３０７ｈの壁面に当接する。
【００６８】
また、メモリボタン３３７がピン３０９を押す際に、既に、係合位置ＥＰに位置している他のピン（旧メモリ位置設定のピン）があった場合、メモリボタン３３７により、ピン３０９のカム突起３０９ｃが突部３０７ｄの頂部３０７ｅに到ると、係合位置ＥＰに位置していた他のピンのカム突起が、カム孔３０７ｃの突部３０７ｄの切り立った面３０７ｆから離脱し、スプリング３１１の付勢力により、非係合位置ＮＥＰまで戻る。
【００６９】
次に、図１−図１２を用いて、メモリストッパ機構２００、操作機構４００の作動を説明する
通常は、図１０に示すように、解除レバー５７の押圧部５７ａがアッパレール５３に設けられたロックレバー５５の被押圧部５５ｃを押圧せず、付勢部材５９の付勢力により、ロックレバー５５は、ロック位置にある。ストッパプレート２０３の溝２０３ｃは、係合位置ＥＰにあるピン３０９から離反している。
【００７０】
ここで、操作ハンドル４０３の操作部４０３ａを引き上げると、操作ハンドル４０３と一体となって移動する解除レバー５７は、支点突部５３ｌを支点として時計回り方向に回転し、
押圧部５７ａが、ロックレバー５５の被押圧部５５ｃを押圧し、図１１に示すロック解除（通常フルオープン）となる。伝達部材４０７によりストッパプレート２０３もピン２０５を中心に反時計回り方向に若干回転するが、依然として、溝２０３ｃは係合位置ＥＰにあるピン３０９から離反している。
【００７１】
さらに、操作ハンドル４０３を引き上げると、解除レバー５７はストッパ突部５３ｍに当接し、それ以上の回転が禁止され、操作ハンドル４０３（ブッシュ部材４０１）のみがスプリング４０５の付勢力に抗して、解除レバー５７の孔５７ｄ内の遊び（隙間）Ｓ１、遊び（隙間）Ｓ２を埋める方向に回転する（メモリロック状態）。図９に示すように、操作ハンドル４０３は、操作ハンドル４０３と一体となって回転するブッシュ部材４０１の第１係合部４０１ａの直線辺４０１ｅが、解除レバー５７の孔５７ｄの直線辺５７ｅに当接するまで、あるいは、ブッシュ部材４０１の第１係合部４０１ａの直線辺４０１ｆが、解除レバー５７の孔５７ｄの直線辺５７ｆに当接するまで、回転可能である。この操作ハンドル４０３の回転により、図１２に示すように、伝達部材４０７はさらに下がる。スプリング２０７により付勢されたストッパプレート２０３は、ストッパ２０１ｃに当接するまで回転し、ストッパプレート２０３の溝２０３ｃは係合位置ＥＰにあるピン３０９に係合可能となる。
【００７２】
この状態（メモリロック状態）で、メモリ位置より前方に位置するアッパレール（シート）５３を後方へ移動させると、先ず、ストッパプレート２０３の第２斜面２０３ｆが係合位置ＥＰに位置するピン３０９に当接し、第２斜面２０３ｆを押す力の分力により、ストッパプレート２０３はスプリング２０７の付勢力に抗して、ストッパ部２０３ｄが下方に移動した後、溝２０３ｃが係合位置ＥＰに位置するピン３０９に嵌合し、アッパレール（シート）５３の移動が禁止され、メモリ位置に復帰する。
【００７３】
逆に、メモリロック状態で、メモリ位置より後方に位置するアッパレール（シート）５３を前方へ移動させると、先ず、ストッパプレート２０３の第１斜面２０３ｅが係合位置ＥＰに位置するピン３０９に当接し、第１斜面２０３ｅを押す力の分力により、ストッパプレート２０３はスプリング２０７の付勢力に抗して、ストッパ部２０３ｄが下方に移動した後、溝２０３ｃが係合位置ＥＰに位置するピン３０９に嵌合し、アッパレール（シート）５３の移動が禁止され、メモリ位置に復帰する。
【００７４】
このような構成によれば、以下のような効果が得られる。
(1) メモリストッパ機構２００は、アッパレール５３の前方から後方への移動でも、後方から前方への移動でも作動することにより、使い勝手がよい。
(2) 通常フルオープン状態からは、遊び（隙間）Ｓ１、遊び（隙間）Ｓ２を埋めるように、操作ハンドル４０３のみが解除レバー５７に対して回転し、メモリロック状態となるので、解除レバー５７即ちスライドロック機構に影響を与えることなく、操作ハンドル４０３の２段階操作が簡単に実現できる。
【００７５】
(3) ストッパプレート２０３の溝２０３の両側に、第１斜面２０３ｅと第２斜面２０３ｆを設けたことにより、アッパレール５３を前方へ移動した場合、後方へ移動した場合でも、アッパレール５３をメモリ位置に止めることができ、使い勝手がよい。
なお、本発明は上記実施形態に限定するものではない。上記実施形態では、メモリストッパ機構２００をアッパレール５３に設け、ピン（ストッパ部材）３０９をロアレール５１に設けたが、逆に、メモリストッパ機構をロアレール５１に設け、ピン（ストッパ部材）をアッパレール５３に設けてもよい。
【００７６】
(4) 上記実施形態の操作機構は、スライドロック機構と、メモリストッパ機構２００とを共に操作ハンドル４０３により操作する形態であったが、スライドロック機構とメモリストッパ機構とを別々のハンドルで操作する操作機構であってもよい。
＜第２実施形態＞
図１７−図２２を用いて本発明の第2実施形態を説明する。なお、本実施形態と第１実施形態との相違点は、メモリストッパ機構と、メモリ位置調整機構であり、他の部分が同一である。よって、同一部分には同一符号を付し、重複する説明は省略する。
【００７７】
図１７は第２実施形態の主要部の分解斜視図、図１８は図１７のメモリシートトラックを組み立てた際の矢印XVIII方向から見た側面図、図１９は図１７のメモリシートトラックを組み立てた際の矢印XIX方向から見た斜視図、図２０は図１７のメモリシートトラックを組み立てた際の矢印XX方向から見た斜視図、図２１は図１８の切断線XXI−XXIでの切断部端面図、図２２は図１８の切断線XXII−XXIIでの切断部端面図である。
（メモリ位置調整機構）
ロアレール５１の基底部５１ａには、ロアブラケット５０１が設けられている。このロアブラケット５０１はロアレール５１の基底部５１ａに取り付けられる基部５０１ａと、基部５０１ａのロアレール５１の第２側壁部５１ｃ側の側部から下方に折曲された第１垂下部５０１ｂと、基部５０１ａのロアレール５１の第１側壁部５１ｂ側の側部から下方に折曲された第２垂下部５０１ｃと、第２垂下部５０１ｃの下部から略９０度折曲され、ロアレール５１の第１側壁部５１ｂから離れる方向に延出する底部５０１ｄと、底部５０１ｄの先端から上方に向かって折曲され、第２垂下部５０１ｃと対向する側部５０１ｅとからなっている。第１垂下部５０１ｂには、アッパレール５３の移動方向に沿い、貫通した第１溝５０１ｆが、また、第２垂下部５０１ｃには、アッパレール５３の移動方向に沿い、貫通し、第１溝５０１ｆと対向する第２溝５０１ｇが形成されている。側部５０１ｅには、アッパレール５３の移動方向に沿って、第１溝５０１ｆ、第２溝５０１ｇと対向する複数の孔５０１ｈが形成されている。
【００７８】
アッパレール５３の移動方向と交差する方向に配置されるピン（ストッパ部材）５０５が、ロアブラケット５０１の側部５０１ｅの孔５０１ｈ、第２垂下部５０１ｃの第２溝５０１ｇ、第１垂下部５０１ｂの第１溝５０１ｆを挿通する。
ロアブラケット５０１の第１垂下部５０１ｂ、基部５０１ａ、第２垂下部５０１ｃで囲まれた空間には、この空間内でアッパレール５３の移動方向に沿って移動可能なスライドブロック５０３が配置される。このスライドブロック５０３には、ピン５０５が挿通する孔５０３ａが形成されている
ロアブラケット５０１の第１垂下部５０１ｂ、基部５０１ａ、第２垂下部５０１ｃで囲まれた空間のピン５０５において、第２垂下部５０１ｃ側のピン５０５には、ワッシャ５０９と、ピン５０５に固着される当て部材５０７が設けられている。さらに、一端部がスライドブロック５０３に当接し、中間部がピン５０５を巻回し、他端部が当て部材５０７に当接するスプリング５１１によって、ピン５０５は、ロアブラケット５０１の側部５０１ｅの孔５０１ｈに嵌合する方向に付勢されている。さらに、ロアブラケット５０１の第１垂下部５０１ｃの第１溝５０１ｆを挿通し、外部に露出したピン５０５には、ノブ５１３と、後述する位置調整ストッパに当接可能なストライカ５１５とが固着されている。
【００７９】
ここで、メモリ位置調整機構の作動を説明する。スプリング５１１の付勢力に抗して、ノブ５１３を引くと、ピン５０５はロアブラケット５０１の側部５０１ｅの孔５０１ｈから離脱し、ピン５０５は、ロアブラケット５０１の第２垂下部５０１ｃの第２溝５０１ｇ、第１垂下部５０１ｂの第１溝５０１ｆに沿って（アッパレール５３の移動方向に沿って）、移動可能となる。所望の位置までピン５０５を移動させた後、ノブ５１３への操作力を解除すると、ピン５０５はロアブラケット５０１の側部５０１ｅの孔５０１ｈに再び嵌合し、ピン５０５の移動が禁止される。よって、ピン５０５は、アッパレール５３の移動方向に沿って移動可能な移動可能位置と、移動が禁止された移動禁止位置との間を移動可能となっている。
（メモリストッパ機構）
アッパレール５３の上面部５３ａには、第１アッパブラケット５５１が設けられる。この第１アッパブラケット５５１は、アッパレール５３の上面部５３ａに取り付けられる基部５５１ａと、基部５５１ａのアッパレール５３の第１側壁部５３ｂ側の側部から上方に向かって折曲した側部５５１ｂとからなっている。側部５５１ｂには、貫通した孔５５１ｃと、アッパレール５３の移動方向に延出し、貫通した長孔５５１ｄとが設けられている。
【００８０】
第１アッパブラケット５５１の側部５５１ｂの下方には、ストッパプレート５５３が配置される。このストッパプレート５５３にも、貫通した孔５５３ａと、アッパレール５３の移動方向に延出し、貫通した長孔５５３ｂとが設けられている。
第１アッパブラケット５５１の側部５５１ｂと、ストッパプレート５５３との間には、交差するように配置された同長の第１リンク５５５、第２リンク５５７が配置される。
【００８１】
第１リンク５５５の端部には孔５５５ａ、孔５５５ｂが形成され、中央部にも孔５５５ｃが形成されている。第２リンク５５７の端部には孔５５７ａ、孔５５７ｂが形成され、中央部にも孔５５７ｃが形成されている。
そして、第１リンク５５５の中央の孔５５５ｃ、第２リンク５５７の中央の孔５５７ｃを挿通するピン５５９により、第１リンク５５５の中央部と第２リンク５５７の中央部とは交差するように取り付けられている。第１リンク５５５の孔５５５ａ、第１アッパブラケット５５１の孔５５１ｃを挿通するピン５６０により、第１リンク５５５の一端部は、第１アッパブラケット５５１の側部５５１ｂに枢着されている。第２リンク５５７の孔５５７ａ、ストッパプレート５５３の孔５５３ａを挿通するピン５６３により、第２リンク５５７の一端部は、ストッパプレート５５３に枢着されている。第１リンク５５５の孔５５５ｂ、ストッパプレート５５３の長孔５５３ｂを挿通するピン５６４により、第１リンク５５５の他端部は、ストッパプレート５５３に枢着され、長孔５５３ｂに沿って移動可能となっている。第２リンク５５７の孔５５７ｂ、第１アッパブラケット５５１の長孔５５１ｄを挿通するピン５６４により、第２リンク５５７の他端部は、第１アッパブラケット５５１の側部５５１ｂに枢着され、長孔５５１ｄに沿って移動可能となっている。
【００８２】
よって、第１アッパブラケット５５１と、第１リンク５５５と、第２リンク５５７と、ストッパプレート５５３とで平行運動機構が構成され、ストッパプレート５５３は、第１アッパブラケット５５１に対して平行に上下動するようになっている。
ストッパプレート５５３の下部には、ストッパ部５５３ｄが形成されている。ストッパ部５５３ｄには、ピン５０５に嵌合可能な溝５５３ｅと、ピン５０５と溝５５３ｅとが嵌合するように案内する第１斜面５５３ｆ，第２斜面５５３ｇが形成されている。
【００８３】
さらに、ストッパプレート５５３は図示しない付勢部材により、上方向（ストッパプレート５５３の溝５５３ｅがピン５０５から離れる方向）に付勢されている。
ストッパプレート５５３の前部には、操作機構の操作ハンドル４０３のアーム部４０３ｂに取り付けられた伝達部材４０７の下面が当接可能な伝達部材当接部５５３ｈが形成されている。
【００８４】
第１アッパブラケット５５１の基部５５１ａの後部に、第２アッパブラケット５６１が設けられる。この第２アッパブラケット５６１は、第１アッパブラケット５５１の基部５５１ａに取り付けられる基部５６１ａと、基部５６１ａのロアレール５１の第２側壁部５１ｃ側の側面から下方に向かって折曲した側部５６１ｂとからなっている。
【００８５】
側部５６１ｂには、ピン５６３を用いて、位置調整ストッパ５６５が回転可能に設けられている。位置調整ストッパ５６５は、ピン５０５がロアブラケット５０１の側部５０１ｅの孔５０１ｈから離脱した状態でのストライカ５１５と当接可能となっている（図２１の二点鎖線で示すストライカ１５１）。また、側部５６１ｂには、位置調整ストッパ５６５に形成された突起５６５ａが当接可能なストッパ５６１ｃが形成されている。さらに、位置調整ストッパ５６５は、図示しない付勢部材により図２０において矢印Ｂ方向に付勢され、位置調整ストッパ５６５の突起５６５ａはストッパ５６１ｃに当接している。
【００８６】
よって、本実施形態では、位置調整ストッパ５６５は、図２０において、矢印Ｂと反対方向には回転可能であるが、矢印方向には回転できず、一方向のみ回転可能となっている。
第１アッパブラケット５５１、第２アッパブラケット５６１上には、シートクッションを取り付けるシートクッションブラケット５７１が設けられる。
【００８７】
次に、メモリストッパ機構の作動を説明する
通常は、第１実施形態と同様に、解除レバー５７の押圧部５７ａがアッパレール５３に設けられたロックレバーの被押圧部を押圧せず、付勢部材５９の付勢力により、ロックレバーは、ロック位置にある。ストッパプレート５５３の溝２５３ｅは、ピン５０５から離反している。
【００８８】
ここで、図１８に示すように、Ｉの位置にある操作ハンドル４０３の操作部４０３ａをIIの位置まで引き上げると、操作ハンドル４０３と一体となって移動する解除レバー５７は、アッパレール５３内部の支点突部を支点として時計回り方向に回転し、押圧部５７ａが、ロックレバーを押圧し、ロック解除（フルオープン）となる。この時、伝達部材４０７はストッパプレート５５３に接していないので、ストッパプレート５５３の溝５５３ｅはピン５０５から離反している。
【００８９】
さらに、操作ハンドル４０３をIIIの位置まで引き上げると、解除レバー５７はアッパレール５３内のストッパ突部に当接し、それ以上の回転が禁止され、操作ハンドル４０３（ブッシュ部材４０１）のみが図示しないスプリングの付勢力に抗して、解除レバー５７の孔５７ｄ内の遊び（隙間）を埋める方向に回転する（メモリロック状態）。この操作ハンドル４０３の回転により、伝達部材４０７はさらに下がる。これにより、図示しない付勢部材により付勢されたストッパプレート５５３の溝５５３ｅがメモリ位置にあるピン５０５に係合可能となる。
【００９０】
この状態（メモリロック状態）で、メモリ位置より前方に位置するアッパレール（シート）５３を後方へ移動させると、先ず、ストッパプレート５５３の第２斜面５５３ｇがメモリ位置にあるピン５０５に当接し、第２斜面５５３ｇを押す力の分力により、そのストッパ部５５３ｄが上方に移動した後、溝５５３ｅがピン５０５に嵌合し、アッパレール（シート）５３の移動が禁止され、メモリ位置に復帰する。
【００９１】
逆に、メモリロック状態で、メモリ位置から後方へ移動したアッパレール（シート）５３を前方へ移動させると、先ず、ストッパプレート５５３の第１斜面５５３ｆがメモリ位置にあるピン５０５に当接し、第１斜面５５３ｆを押す力の分力により、ストッパプレート５５３は図示しない付勢部材の付勢力に抗して、そのストッパ部５５３ｄが上方に移動した後、溝５５３ｅがピン５０５に嵌合し、アッパレール（シート）５３の移動が禁止され、メモリ位置に復帰する。
【００９２】
なお、シート（アッパレール５３）を前方、あるいは後方へ移動させた際のメモリ位置の設定は、ノブ５１３を引いた状態で、即ち、ストライカ５１５と、位置調整ストッパ５６５とが当接可能な状態で、ピン５０５を一旦最前位置まで移動させる。この際、位置調整ストッパ５６５は図２０において、矢印Ｂ方向と反対方向に回転可能であり、位置調整ストッパ（アッパレール５３）５６５がどの位置にあろうとも、移動可能である。
【００９３】
つぎに、ピン５０５を位置調整ストッパ５６５に当接するまで後方へ移動させる。この当接した位置がメモリ位置となる。
このような構成によれば、以下のような効果が得られる。
(1) メモリストッパ機構は、アッパレール５３の前方から後方への移動でも、後方から前方への移動でも作動することにより、使い勝手がよい。
【００９４】
(2) 通常フルオープン状態からは、遊び（隙間）を埋めるように、操作ハンドル４０３のみが解除レバー５７に対して回転し、メモリロック状態となるので、解除レバー５７即ちスライドロック機構に影響を与えることなく、操作ハンドル４０３の２段階操作が簡単に実現できる。
【００９５】
(3) ストッパプレート５５３の溝５５３ｅの両側に、第１斜面５５３ｆと第２斜面５５３ｇを設けたことにより、アッパレール５３を前方へ移動した場合、後方へ移動した場合でも、アッパレール５３をメモリ位置に止めることができ、使い勝手がよい。
なお、本発明は上記実施形態に限定するものではない。上記実施形態では、メモリストッパ機構をアッパレール５３に設け、ピン（ストッパ部材）５０５をロアレール５１に設けたが、逆に、メモリストッパ機構をロアレール５１に設け、ピン（ストッパ部材）をアッパレール５３に設けてもよい。
【符号の説明】
【００９６】
５１  ロアレール
５３  アッパレール
２００  メモリストッパ機構
３００  メモリ位置調整機構
４００  操作機構
【図１】
2018075982.tif 000003
【図２】
2018075982.tif 000004
【図３】
2018075982.tif 000005
【図４】
2018075982.tif 000006
【図５】
2018075982.tif 000007
【図６】
2018075982.tif 000008
【図７】
2018075982.tif 000009
【図８】
2018075982.tif 000010
【図９】
2018075982.tif 000011
【図１０】
2018075982.tif 000012
【図１１】
2018075982.tif 000013
【図１２】
2018075982.tif 000014
【図１３】
2018075982.tif 000015
【図１４】
2018075982.tif 000016
【図１５】
2018075982.tif 000017
【図１６】
2018075982.tif 000018
【図１７】
2018075982.tif 000019
【図１８】
2018075982.tif 000020
【図１９】
2018075982.tif 000021
【図２０】
2018075982.tif 000022
【図２１】
2018075982.tif 000023
【図２２】
2018075982.tif 000024